Podtech/llm-jp-corpus-v4-ja_patent huggingface dataset:
(57)【要約】      （修正有）【課題】暗所において教材が光ることにより集中して勉学が出来る教材を提供する。【解決手段】教材は、蛍光トナ−を使用してレ−ザ−プリンタやＬＥＤプリンタで印刷する。蛍光トナ−は紫外線を当てると光る為、印刷された教材の内容が暗所においてもはっきり見える。学習方法として部屋の蛍光灯の代わりにブラックライトと呼ばれる紫外線ライトを設置し、ブラックライトの光の下で本発明の光る教材を使用して学習する。教材のみが光るので非常に集中して学習する事が出来る。【選択図】なし【特許請求の範囲】
【請求項１】
紫外線で発光する蛍光トナ−で印刷する事を特徴とする教材
【請求項２】
請求項１で使用する蛍光トナ−は赤色、黄色、青色の３色で、そのうち１色、又は２色、又は３色で印刷する事を特徴とする教材
【請求項３】
請求項１，２の教材は暗所において紫外線で発光する事を特徴とする教材
【請求項４】
請求項１、２で使用される紫外線の波長は２００ｎｍ〜４００ｎｍで有効であるが、特に３５０ｎｍ〜３９０ｎｍの波長において顕著な発光効果が見られる事を特徴とする教材
【発明の詳細な説明】
【技術分野】
【０００１】  本発明は暗所にてより集中出来る就学効果の高い教材に関するものである
【背景技術】
【０００２】  幼児から小学生、中学生、高校生の学童に使用されている従来の教材は暗所においては見えない為に明るい場所においてのみ使用されている。【０００３】  しかし、明るい場所はまぶしくて就学が困難な視覚障害者の人たちの教材においても、同様に暗所においては見えない為に明るい場所においてのみ使用されている。【０００４】  さらに、発達障害や教育障害等で一般の学童と一緒に就学が困難な学童においても、こころが落ち着く暗所では教材の内容が見えない為、集中力が欠ける明るい場所においてのみ使用されている。
【発明の概要】
【発明が解決しようとする課題】
【０００５】  以上に述べた従来の明るい場所で使用されている教材では、視覚障害者の人達にとっては目に光が入りすぎ読みづらい教材となっている。【０００６】  又、発達障害者や教育障害者の人達にとっても、従来の教材は明所で使用される為集中出来ない児童が多く、就学の効果に問題があった。【０００７】  さらに、一般の学童においても明所より暗所の方がより集中出来る学童がおり、暗所で活用出来る教材が求められていた。【０００８】  本発明は、このような従来の教材が有している問題を解決しようとするものであり、暗所において教材が光ることにより集中して勉学が出来る教材を提供することを目的としている。
【問題を解決するための手段】
【０００９】  そして、本発明は上記目的を達成する為に鋭意研究を重ねた結果、暗所で紫外線を当てると光る蛍光トナ−で印刷した教材を開発するに至ったものである。
この蛍光印刷は、蛍光トナ−を使用してレ−ザ−プリンタやＬＥＤプリンタで印刷するものである。
この蛍光トナ−は紫外線を当てると光る為、印刷された教材の内容が暗所においてもはっきり見え、より集中出来る事で学習の効果が期待出来るものである。
【００１０】  学習方法として部屋の蛍光灯の代わりにブラックライトと呼ばれる紫外線ライトを設置し、ブラックライトの光の下で本発明の光る教材を使用して学習する。教材のみが光るので非常に集中して学習する事が出来る。
【考案の効果】
【００１１】  本発明は以上説明したように、暗所にて教材が光るので、非常に教材に集中する事が出来学習効果のアップに利用出来る。
【発明を実施するための形態】
【００１２】  カラ−プリンタで蛍光トナ−を利用して印刷し、簡単に早く教材を作る事が出来た。そして暗所で紫外線を当てて光る教材として実現出来た。
【実施例１】
【００１３】  カラ−プリンタＲＩＣＯＨ  ＳＰ  Ｃ７５０の中に蛍光トナ−赤、黄、青色と一般の黒トナ−をセットし、昔ばなしの「桃太郎」「浦島太郎」「花咲爺さん」「猿蟹合戦」「鶴の恩返し」を印刷して光る絵本の教材を作成した。
暗所にて光る絵本に紫外線を当てると非常に綺麗に発光した。
【実施例２】
【００１４】  カラ−プリンタＲＩＣＯＨ  ＳＰ  Ｃ７５０の中に蛍光トナ−赤、黄、青色と一般の黒トナ−をセットし、アルファベットの学習の為、ＡＢＣカ−ドを印刷して光るＡＢＣカ−ドの教材を作成した。
暗所にて光るＡＢＣカ−ドに紫外線を当てると非常に綺麗に発光した。
【実施例３】
【００１５】  カラ−プリンタＲＩＣＯＨ  ＳＰ  Ｃ７５０の中に蛍光トナ−赤、黄、青色と一般の黒トナ−をセットし、ひらがなの学習の為、ひらがなカ−ドを印刷して光るひらがなカ−ドの教材を作成した。
暗所にて光るひらがなカ−ドに紫外線を当てると非常に綺麗に発光した。
【実施例４】
【００１６】  カラ−プリンタＲＩＣＯＨ  ＳＰ  Ｃ７５０の中に蛍光トナ−赤、黄、青色と一般の黒トナ−をセットし、ロ−マ字の学習の為、ロ−マ字カ−ドを印刷して光るロ−マ字カ−ドの教材を作成した。
暗所にて光るロ−マ字カ−ドに紫外線を当てると非常に綺麗に発光した。
【実施例５】
【００１７】  カラ−プリンタＲＩＣＯＨ  ＳＰ  Ｃ７５０の中に蛍光トナ−赤、黄、青色と一般の黒トナ−をセットし、足し算、引き算、掛け算、割り算の数学の学習の為、数字カ−ドを印刷して光る数字カ−ドの教材を作成した。
暗所にて光る数字カ−ドに紫外線を当てると非常に綺麗に発光した。
【産業上の利用可能性】
【００１８】  本発明の教材は、一般の学童から障害のある視覚障害者、発達障害者、学習障害者の人達の教材に利用することが出来る。
(57)【要約】【課題】  従来の球体のカプセル（卵型球体も含む）の中にフィギア、ぬいぐるみ、雑貨などを入れたものを商品とした自動販売機では、商品の幅が狭く消費者のニーズに合わせることが難しかった【解決手段】  球体のカプセル（卵型球体も含む）の中に入るサイズの、動画、画像、音楽などを記録した記憶媒体を球体のカプセル（卵型球体も含む）に入れ自動販売機にて販売を行う。【特許請求の範囲】
【請求項１】
球体のカプセル（卵型球体も含む）の中に入るサイズの動画、画像、音楽を記録した記憶媒体を入れたことを特徴とする球体のカプセル（卵型球体も含む）を商品とした自動販売機。
【発明の詳細な説明】
【技術分野】
【０００１】  この発明は球体のカプセル（卵型球体も含む）を商品とした自動販売機に関する
【背景技術】
【０００２】  従来の球体のカプセル（卵型球体も含む）を商品とした自動販売機では商品がフィギア、ぬいぐるみ、雑貨といったものであった。
【先行技術文献】
【特許文献】
【０００３】
【非特許文献】
【非特許文献】なし
【０００４】
【非特許文献１】なし
【発明の概要】
【発明が解決しようとする課題】
【０００５】しかしながら、以上の技術によれば、商品の幅が狭く、消費者のニーズに合わせることが難しい。
【課題を解決するための手段】
【０００６】  以上のかだいを解決するために、第一発明は、球体のカプセル（卵型球体も含む）の中に入るサイズの記憶媒体を入れその記憶媒体の中には動画、画像、音楽を記録してあることを特徴とする球体のカプセル（卵型球体も含む）と記憶媒体に動画、画像、音楽を記録ものを商品とした自動販売機である
【発明の効果】
【０００７】  第一発明によれば、記憶媒体を商品とするため、商品の幅は動画、画像、音楽といったものを販売する
【発明を実施するための形態】
【０００９】  球体のカプセル（卵型球体も含む）の中に動画、画像、音楽を記録した記憶媒体を自動販売機の中に入れ販売を行う
【００１０】  「実施形態の効果」
商品を手軽に購入することが可能となる
「他の実施形態」
なし
【符号の説明】
(57)【要約】【課題】コンピュータ上での色塗り作業の際、塗りたい部分についてユーザがどのＲＧＢ値の色を塗ればいいか分からないといった課題がある。【解決手段】ユーザが塗りたい部分についての単語を入力すると、本発明のシステム１がその塗りたい部分についての単語に相応しいＲＧＢ値を返すので、ユーザがコンピュータ上でどのＲＧＢ値の色を塗ればよいか分からないといった課題は解決される【選択図】図１
2018124950.tif 000002
【特許請求の範囲】
【請求項１】
新聞記事や小説などの文書データを用意する。
単語”ｒｅｄ”，”ｇｒｅｅｎ”，”ｂｌｕｅ”のそれぞれの単語が文書データの各文に何度出現したか出現回数を記録し、各文に何度出現したか出現回数のベクトルを”ｒｅｄ”，”ｇｒｅｅｎ”，”ｂｌｕｅ”についてそれぞれ生成する。
ユーザが入力した単語がそれぞれの文書データの各文に何度出現したか出現回数を記録し、各文に何度出現したか出現回数のベクトルを生成する
単語”ｒｅｄ”の出現回数のベクトルとユーザが入力した単語の出現回数のベクトルのコサイン類似度を計算し、その値を２５５倍する。そしてこの値をＲ値とする。
単語”ｇｒｅｅｎ”の出現回数のベクトルとユーザが入力した単語の出現回数のベクトルのコサイン類似度を計算し、その値を２５５倍する。そしてこの値をＧ値とする。
単語”ｂｌｕｅ”の出現回数のベクトルとユーザが入力した単語の出現回数のベクトルのコサイン類似度を計算し、その値を２５５倍する。そしてこの値をＢ値とする。
上記のＲＧＢ値を出力部を通してユーザに知らせるシステム。
【請求項２】
新聞記事や小説などの文書データを用意する。
単語”赤”，”緑”，”青”のそれぞれの単語が文書データの各文に何度出現したか出現回数を記録し、各文に何度出現したか出現回数のベクトルを”赤”，”緑”，”青”についてそれぞれ生成する。
ユーザが入力した単語がそれぞれの文書データの各文に何度出現したか出現回数を記録し、各文に何度出現したか出現回数のベクトルを生成する
単語”赤”の出現回数のベクトルとユーザが入力した単語の出現回数のベクトルのコサイン類似度を計算し、その値を２５５倍する。そしてこの値をＲ値とする。
単語”緑”の出現回数のベクトルとユーザが入力した単語の出現回数のベクトルのコサイン類似度を計算し、その値を２５５倍する。そしてこの値をＧ値とする。
単語”青”の出現回数のベクトルとユーザが入力した単語の出現回数のベクトルのコサイン類似度を計算し、その値を２５５倍する。そしてこの値をＢ値とする。
上記のＲＧＢ値を出力部を通してユーザに知らせるシステム。
【発明の詳細な説明】
【技術分野】
【０００１】本発明は、情報処理装置、情報処理方法、及び、システムに関し、特にＲＧＢ値の色取得に関する情報装置、情報処理方法、およびシステム
【背景技術】
【０００２】通常、コンピュータ上で色を塗る際は、ユーザがＲＧＢ値を指定するかカラーパレットから使用する色を決定する。
先行技術として、電子メールを多数取得して、文書データと画像データを関連づけてデータベースに格納し、電子メールの画像データ全体の平均値を算出して平均的特徴色を特定、電子メールの文書データから感情表現に該当する言葉を抽出して、前記平均的特徴色と言葉とを関連づけるという先行技術（特許文献１）がある。この手法では、画像データと文書データが共にある電子メールを多量に必要とする。
【特許文献１】特開２００５−１８２７０３号公報
【発明が解決しようとする課題】
【０００５】コンピュータ上で色を塗る際はＲＧＢ値を指定するかカラーパレットから色を選択するが、ユーザがどの色を塗るべきか分からない時、本プログラムを使用することでＲＧＢ値を得ることができ、その値を参考にして色を決めることができる。
また、上記背景技術（特許文献１）では、画像データと文書データが共にある電子メールが大量に取得できなければ、単語と色彩の関連付けは実現できないが、本発明では文書データがあれば単語からＲＧＢ値を得ることができる。
【課題を解決するための手段】
【０００６】新聞記事や小説などの文書データを用意し、ユーザがコンピュータ上で塗りたい部分についての単語をシステム１に入力する。システム１はユーザから入力された単語と”ｒｅｄ”のコサイン類似度を計算し、その値を２５５倍した値をＲ値とする。同様に，ユーザから入力された単語と”ｇｒｅｅｎ”のコサイン類似度を計算し、その値を２５５倍した値をＧ値とする。さらに同様に，ユーザから入力された単語と”ｂｌｕｅ”のコサイン類似度を計算し、その値を２５５倍した値をＢ値とする。
システム１は上記で計算されたＲＧＢ値を出力部に表示させユーザに知らせる。
【発明の効果】
【０００７】本発明によってユーザが塗りたい部分について相応しいＲＧＢ値を返すので、ユーザがコンピュータ上でどのＲＧＢ値の色を塗ればよいか分からないといった課題は解決される。用意するデータも文書データのみで良い。
【図面の簡単な説明】
【０００８】
【図１】  本発明の全体像を記した図である。
【符号の説明】
【０００９】    １  入力部
２  システム１
３  文書データ
４  出力部
【産業上の利用可能性】
【００１０】どのＲＧＢ値の色を塗ればいいかわからないイラストレータがその塗りたい部分に関する単語を本システムに入力することで、ＲＧＢ値が返され、ユーザが色を塗る作業の手助けになる。
【図１】
2018124950.tif 000003
(57)【要約】      （修正有）【課題】冷蔵庫の扉を開けずに、飲料容器の内容物を、容易にコップへ容易に注ぐ事ができる。【解決手段】たとえば、冷蔵庫扉の、一部の領域に設けた、飲料容器収納部３に飲料が入っている飲料容器５をセットし冷蔵庫内で冷却保管する。使用者が飲料をコップ８に移す場合、収納部扉２を開け飲料容器収納部３を傾ける事が出来る状態にする。飲料容器収納部３を傾け飲料容器５から飲料をコップ８に適量を移し終えたら、飲料容器収納部３の傾きを元の位置に戻して収納部扉２閉め、冷蔵庫を密閉し飲料容器５を冷蔵庫内で冷却保管する。【選択図】図３
2018162079.tif 000002
【特許請求の範囲】
【請求項１】
冷蔵庫の扉の一部、又は全部の領域にペットボトルなどの飲料容器収納部を設け、飲料容器収納部を手動、又は、モーターなどによる駆動装置により、冷蔵庫の外側に移動し、飲料容器収納部を傾ける事で、飲料容器にある飲料をコップなどに移す事が出来る冷蔵庫扉に飲料容器収納部を組み込む、飲料容器ホルダー。
【発明の詳細な説明】
【技術分野】
【０００１】
この発明は、飲料容器、例えばペットボトルの保存方法の一つとして、冷蔵庫があり、その前面の扉の一部、または、全部の領域を利用し、飲料容器ホルダーを設けて、冷蔵庫の外側又は、外部から直接、或いは、間接的に、飲料容器の内容物をコップに注ぐ事が出来る構造の飲料容器ホルダーに関するものである。
【背景技術】
【０００２】
従来は、冷蔵庫の扉を開け、飲料容器例えば、ペットボトルを取り出し、コップなどに注ぎ、注ぎ終えたら、再び、冷蔵庫の扉を開け、飲料容器を冷蔵庫の内部に戻していた。
【先行技術文献】
【特許文献】
【０００３】
【特許文献１】特許第６０９３９５７号
【発明の概要】
【発明が解決しようとする課題】
【０００４】
この形態には。次のような欠点があった。たとえば、飲料容器収納する構造や、コップに移す動作が限定され、構造が複雑であった。
【課題を解決するための手段】
【０００５】
冷蔵庫の扉の一部、または全部の領域を利用し、飲料容器ホルダーを設けた。冷蔵庫の扉の一部、又は全部の領域にペットボトルなどの飲料容器収納部を設け、飲料容器収納部を手動、又は、モーターなどによる駆動装置により、冷蔵庫の外側に移動し、飲料容器収納部を傾ける事で、飲料容器にある飲料をコップなどに移す事が出来る冷蔵庫扉に飲料容器収納部を組み込む、飲料容器ホルダーである。
【発明の効果】
【０００６】
たとえば、冷蔵庫内の飲料容器から内容物をコップへ移す時、冷蔵庫の扉を開閉せず、注ぐ事ができる事で、冷蔵庫の扉を開閉する事が大幅に減少し、冷蔵庫内の保冷を保ち、省エネの効果もある。
【図面の簡単な説明】
【０００７】
【図１】本発明の上部からみた、収納部扉が閉状態の図である
【図２】本発明の上部からみた、収納部扉が開状態の図である
【図３】本発明の正面からみた、飲料容器を傾けた時の図である
【図４】本発明の正面からみた、収納部扉が開状態の図である
【図５】本発明の上部からみた、収納部扉が閉状態の図である
【図６】本発明の上部からみた、収納部扉が開状態の図である
【図７】本発明の正面からみた、飲料容器を傾けた時の図である
【図８】本発明の正面からみた、収納部扉が閉状態の図である
【図９】本発明を冷蔵庫に組み込んだ参考図である
【発明を実施するための形態】
【０００８】
以下に冷蔵庫扉を例として、本発明の実施形態を図１、図２、図３を用いて説明する。
（イ）冷蔵庫扉（１）の一部の領域に設けた、飲料容器収納部（３）に飲料容器（５）をセットする。飲料容器収納部（３）は、飲料容器（５）の高さ寸法の中間位置より、やや上部の位置で保持し、その位置が回転軸（７）となって飲料容器収納部（３）が回転動作する構造で、その回転角度は１００度以上回転する
（ロ）飲料容器収納部（３）は飲料容器（５）が、収納部扉（２）に回転軸（７）を介して取り付けられており、飲料容器収納部（３）と、収納部扉（２）は、スライドガイド（９）に接続しており、スライドガイド（９）によって前後に移動する構造、又は、収納部扉（２）が、冷蔵庫扉（１）と蝶番などで取り付けられており、収納部扉（２）に回転軸（７）を介して飲料容器収納部（３）が取り付けられている構造で、構成されている
（ハ）飲料容器（５）が、飲料容器収納部（３）に収納されている状態で、回転軸（７）を介して飲料容器収納部（３）傾けることで、飲料容器（５）の飲料をコップ（６）へ適量を注ぎ、飲料容器収納部（３）を戻し、冷蔵庫を密閉する
（ニ）飲料容器収納部（３）を並列に配置して、飲料容器（５）を２本以上収納する事も可能である
（ホ）（ロ）（ハ）に記載した、手動で行う動作をスプリングを利用したり、モーターなどの駆動装置を設け、自動化する事も可能
本発明は以上の構成で、冷蔵庫内部にある飲料容器（５）から、冷蔵庫扉（１）を開けずに、飲料容器（５）を冷蔵庫の外側へ移動可能にする、飲料容器収納部（３）を設け、飲料容器収納部（３）を傾ける事で飲料容器（５）から、飲料を、コップ（６）に注ぐ事を可能にした。また、多数のコップへ注ぐ場合は、飲料容器（５）をそのままと取り出す事も可能。また、ペットボトル等のキャップ（６）は、必要に応じて開け閉めを行う
【符号の説明】
【０００９】
１．冷蔵庫扉
２．収納部扉
３．飲料容器収納部
４．蝶番
５．飲料容器（ペットボトル）
６．キャップ
７．回転軸
８．コップ
９．スライドガイド
【図１】
2018162079.tif 000003
【図２】
2018162079.tif 000004
【図３】
2018162079.tif 000005
【図４】
2018162079.tif 000006
【図５】
2018162079.tif 000007
【図６】
2018162079.tif 000008
【図７】
2018162079.tif 000009
【図８】
2018162079.tif 000010
【図９】
2018162079.tif 000011
(57)【要約】      （修正有）【課題】老若男女、関係なく、特に老人が車を運転すると、アクセルをブレーキと踏み間違い車が危険な凶器の様になり、取り返しのつかない大事故になる事があります。【解決手段】アクセル踏み間違い事故は、社会の事故防止になっています。このアクセル踏み間違い事故防止対策装置ＡＲで、事故が無くなりお役に立てればと思っています。装置は、アクセルをブレーキと間違う時は、右足を上げそのアクセルを踏む点に着目し、踏み直し時にアクセルを踏まない様に、アクセルの上に支柱でアクセルを踏まない台を取付け、さらにこの台の上に、新たにパニック事故防止、ブレーキペダルを取付けた。【選択図】図１
2018162048.tif 000002
【特許請求の範囲】
【請求項１】
アクセルの上に靴が間に入らない様にして、支柱にアクセルを踏まない台を取付けした。
【請求項２】
アクセル踏まない台の上に、一瞬で車を止める、パニック事故防止ブレーキペダルを取付けした。
【請求項３】
請求項１と２を組合せ構成のアクセルペダルの踏み間違い事故防止対策装置ＡＲ
【発明の詳細な説明】
【発明の詳細な説明】
【一般的な車運転利用分野】
【０００１】車を運転すると、アクセルをブレーキと踏み間違いで、車が危険な凶器の様になり取り返しのつかない大事故で加害者になる事もあります。
【車運転１歩手前の経験】
【０００２】私はアクセルとブレーキを踏み間違いで大事故が起こる１歩手前の経験をしました。
【車運転技術】
【０００３】私は、運転歴４５年間１度も交通事故を起こした事がありませんが昨年、家の近くで、道幅が狭く５ｍの小さい十字路での事です。
2018162048.tif 000003
【車運転アクセル踏み間違い】
【０００４】私の車Ｃ〜Ｄへ走行中Ａ〜Ｂへの軽自動車が見えたので距離にして、５ｍ位私がブレーキをゆっくり踏むと車が止まらない、危ないと足を踏み直し蹴る様に強く踏むと、車が飛び上がった。
【車運転危機一髪】
【０００５】甲高い、ブーンとエンジン音がして、その時に踏み間違いでアクセルペダルと気付くと一瞬に足を踏み直し、蹴る様に強くブレーキペダルを踏むと、危機一髪で車が止まった。
相手の軽自動車は若い女性の運転手でその時車を止めて私をにらみつける。手でゴメンと合図する、側に立っている３歳位の子供を大丈夫かと触っていた。
もしアクセルを強くいっぱいそのまま踏んでいたら、テレビでアクセルとブレーキの踏み間違いで大事故のニュースになっていたと思うとヒヤッとします。
【車運転再現】
【０００６】後で現場の状況距離と時間を計ると私の車と相手の軽自動車の距離
１回目  アクセルの踏み間違い  ５ｍ位
２回目  アクセルの踏み間違い  ２．５ｍ位
３回目  ブレーキペダルを踏み一瞬で車が止まる  １．５ｍ位
【車運転瞬間止め】
【０００７】アクセルとブレーキの踏み間違い１回目〜３回目のブレーキペダル踏む危機一髪で車が止まった瞬間が１．２秒〜２秒
【アクセル踏み間違いの時】
【０００８】アクセルを１回目ブレーキと踏み間違った時
自分で気づかず、普通にブレーキをゆっくり踏む車が止まらない
【発明が解決しようとする課題】
【０００９】２回目足を踏み直し、アクセルの上に靴が間に入らない様にして、支柱にアクセルを踏まない、台を取付けした。足を踏み直し、蹴る様に同じ動作で上を踏む、その時にアクセルの上にアクセルを踏まない、台を踏んでも車は走っている。
【課題を解決する為の対策】
【００１０】３回目踏み直しアクセル踏み間違い台の上に、新たにパニック事故防止、ブレーキペダルを取付けした。
【対策の効果】
【００１１】パニックになって、蹴る様にさらに踏み込みそしてより深く踏む、その時にパニック事故防止、ブレーキペダルを踏む事で、車が一瞬で止まる。
【発明の効果】
【００１２】（請求項１）
アクセルをブレーキと間違う時は、右足を上げそのアクセルを踏むその時にアクセル踏まない様にアクセルの上に支柱でアクセルを踏まない台を取付け靴が中に巻き込まれないのでアクセルを踏まない台を踏む
（請求項２）
パニックになって、蹴る様にさらに踏込みそしてより深く踏む。その時に、パニック事故防止ブレーキペダルを踏む事で、事が一瞬で止まる。
（請求項３）
アクセルを踏み間違った時は、右足は同じ動作をするので直線状になる。
請求項１、２の組合せ構成のアクセルペダルの踏み間違い事故防止対策装置ＡＲ。
【図面の簡単な説明】
【図１】全体を示す正面図
【図２】アクセルを踏んでいる状態を示す正面図
【図３】アクセルを踏まない台を踏んでいる状態を示す正面図
【図４】パニック事故防止ブレーキペダルを踏んでいる状態を示す正面図
【符号の説明】１．ブレーキペダル
２．アクセルペダル
３．アクセルを踏まない台
４．パニック事故防止ブレーキペダル
５．アクセルを踏んでいる状態
６．靴が中に入らない状態
７．アクセルを踏まない台を踏んでいる状態
８．パニック事故防止ブレーキペダルを踏んでいる状態
【図１】
2018162048.tif 000004
【図２】
2018162048.tif 000005
【図３】
2018162048.tif 000006
【図４】
2018162048.tif 000007
(57)【要約】      （修正有）【課題】従来は一軸であったため、遠心力その他の力によるパワーロスがあっ  た。そのパワーロスを防ぐとともに、大幅にパワーアップさせる。【解決手段】モーター、発電機の回転部分を、二軸または多軸による円周または多角の回転構造体にし、遠心力、その他の力によるパワーロスを防ぐとともに、これまで単層構造であったモーター、発電機のコイルと磁石を複層化すること、または巻き込むように取り囲むことによりにより大幅にパワーアップさせるものである。また磁石の総量や重量も減らすことができ、軽量化することもできる。モーター、発電機の出力を合理的に高められるため、省エネルギー、小型高出力、軽量化に役立つ。【選択図】なし【特許請求の範囲】
【請求項１】
1.  従来、真円型の１軸式モーター、発電機が使われているが本発明は２軸または多軸であるため平面的な動きを多くとる回転運動を可能とし、その効果としては、円周による重力、遠心力、その他の力を少なくすることができ、省力化、パワーアップが図れる。
2.    磁石またはコイルを磁石またはコイルで二層、三層、四層、五層・・・と複層化または巻き込むように取り囲むことにより、磁石またはコイルの働きを強くすることである。図面1.2とは異なる方式も含む。例えば図面2のようにホイールを組み合わせたり、反性磁体を外周にかぶせたりとかすることにより複層化するなど。この特許については一軸回転型も含む。図３のようなサンドイッチ構造による２面パワー利用も含む。
3.  磁石については永久磁石を使うものと電磁石を使うものがあるとする。
【発明の詳細な説明】
【技術分野】
【０００１】
本発明はモーター、発電機に関する技術分野である
1.    モーター、発電機の回転部分を、二軸または多軸による円周または多角の回転構造体にし、遠心力、その他の力によるパワーロスを防ぐとともに、これまで単層構造であったモーター、発電機のコイルと磁石を複層化することまたは巻き込むように取り囲むことによりにより大幅にパワーアップさせるものである。また磁石の総量や重量も減らすことができ、軽量化することもできる。
2.    従来のモーター、発電機は一軸の回転芯を持つ真円周回転型構造であったため、遠心力その他の力によるパワーロスがあった。それを二軸、または多軸にすることにし直線移動区間を作ることによりそのパワーロスを防ぐものである。また、従来のモーター、発電機は真円周回転型構造であったため、磁石とコイルの対面を対にした一層構造でどちらかを回転させていた。それを二軸または多軸にすることにより内面や横面にも磁石またはコイルを配置できるため、同じ労力で従来以上のパワーを得ることができる。磁石の総量や重量も減らすことができ、軽量化することもできる
3.    当特許はコイル、または磁石の複層化も含まれており、従来の真円周型のモーター、発電機もその回転体を巻き込むようにしてコイル、または磁石を二層、三層、四層、五層・・・と複層化することによりパワーアップすることも含む。(注1)
4.    図面のコイル、磁石の関係とは逆の関係の状態も含まれる。つまり、図面コイル部分が磁石で、磁石部分がコイルで構成されるものも含まれる。図の説明磁石またはコイル1と磁石またはコイル2は1が磁石なら2がコイル、2が磁石なら1はコイルというような関係となる。
5.    図3のリニアについては当発明原理により、真ん中Bのラインの磁石を上下ABのラインの磁石でサンドイッチしてダブルの浮揚効果を狙うものである。
例えばBを電磁石として上がN下がSとするとAはS、CもSにして吸着と反発の両面利用していくこととする。そのことにより１つの電磁石の力で２倍の力を利用できることとする。
(注1)  磁石またはコイルを磁石またはコイルで複層化または巻き込むように取り囲むことにより、磁石またはコイルの働きを強くすること。あるいは、磁石またはコイルを磁石またはコイルで複層化または巻き込むように取り囲むことにより、磁石またはコイルの働きを強くすることである。図面1.2とは異なる方式も含む。例えば図面3のようにホイールを組み合わせたり、反性磁体を外周にかぶせたりとかすることにより複層化するなど。この特許については一軸回転型も含む。
(注２)  磁石については永久磁石を使うものと電磁石を使うものがあるとする。
【０００２】
図1  新型モーター  発電機の形態の一部の概要を示した説明図である。
2018046632.tif 000002
2018046632.tif 000003
図２    新型モーター  発電機の形態の態様の一部を示した説明図である。
2018046632.tif 000004
2018046632.tif 000005
図3    リニア
2018046632.tif 000006
(57)【要約】      （修正有）【課題】カバーに壁紙を貼ると壁と一体感ができ、シールを貼るとかわいい部屋になる。蝶番を設けることで、カバーを付けたままコンセントを挿すことが出来る。【解決手段】カバー（１）と板（２）を蝶番（３）でつなぎ、板（２）の裏に両面テープ（４）を設けたコンセントカバーである。感電防止を行い且つ好みの壁紙又はシールを貼る事ができる。【選択図】図３
2018129279.tif 000002
【特許請求の範囲】
【請求項１】
カバー（１）と板（２）に蝶番（３）を設け、板（２）に両面テープを設けたコンセントカバー。である。
【発明の詳細な説明】
【技術分野】
【０００１】  この発明は、蝶番を付けたコンセントのカバー関するものである。
【背景技術】
【０００２】  従来は、使用しないコンセントにカバーをはめ込むだけでした。
生活をしているときは、コンセントの差し口が見えている状態である。
【先行技術文献】
【特許文献】
【０００３】
【発明の概要】
【発明が解決しようとする課題】
【０００４】  従来は、差し込み口がむき出しのままで殺風景でしである。
差し込み口が見えていると指を入れたくなる赤ちゃんがいる。
本発明は、この課題を解消する為になされたものである。
【課題を解決するための手段】
【０００５】  カバー（１）と板（２）を蝶番（３）でつなぎ、板（２）の裏に両面テープ（４）を設ける。
本発明は、以上の構成よりなるコンセントカバーである。
【発明の効果】
【０００６】  カバーに壁紙を貼るとすっきりおしゃれになります。
シールを貼るとかわいい。
カバーをすることで、目立たないので赤ちゃんが指を入れない。
蝶番で開け閉め出来るのでコンセントが挿しやすい。
両面テープで装着しやすい。
【図面の簡単な説明】
【０００７】
【図１】平面図
【図２】断面図
【図３】斜視図
【発明を実地するための形態】
【０００８】  以下の、本発明を実地するための形態について説明する。
カバー（１）と板（２）を蝶番でつなぎ、板（２）に両面テープを（４）付ける。
壁のコンセントの差し込み口に両面テープ（４）で貼り、好みの壁紙又はシールを貼る。
本発明は、以上のような構造である。
これを使用する時は、蝶番（３）が付いているのでめくり易いのでコンセントを挿しやすい。好みのシールを貼ればすっきりおしゃれになります。
【符号の説明】
【０００９】    １  カバー
２  板
３  蝶番
４  両面テープ
【図１】
2018129279.tif 000003
【図２】
2018129279.tif 000004
【図３】
2018129279.tif 000005
(57)【要約】【課題】４系統音声信号から２系統音声信号に変換するために４系統音声信号から２系統音声信号への変換図を提供する【解決手段】４系統音声信号をミキサーで２系統音声信号へ変換することを特微とする【選択図】図１
2018129865.tif 000002
【特許請求の範囲】
【請求項１】
ミキサーによる４系統音声信号から２系統音声信号への変換図
【発明の詳細な説明】
【技術分野】
【０００１】この発明は４系統音声信号から２系統音声信号への変換図に関するものである
【背景技術】
【０００２】従来、音声信号は２系統だけで通していた。
【先行技術文献】
【０００３】
【特許文献１】
【非特許文献１】
【発明の概要】
【発明が解決しようとする課題】
【０００４】これは次のような欠点があった
（イ）４系統音声信号を２系統音声信号に変換するのが難しかった
本発明は、以上のような欠点をなくすためになされたものである
【課題を解決するための手段】
【０００５】４系統音声信号を２系統音声信号に変換しなければならない
本発明は以上の構成によりなる４系統音声信号から２系統音声信号への変換図である
【発明の効果】
【０００６】（イ）４系統音声信号から２系統音声信号へと変換できるようになる
【図面の簡単な説明】
【０００７】
【図１】本発明の見取り図である
【発明を実施するための形態】
【０００８】以下、本発明を実施するための最良の形態について説明する
（１）４系統音声信号から（２）ミキサーに送り（３）２系統音声信号に変換する
本発明は以上のような構造である
【符号の説明】
【０００９】１  ４系統音声信号
２  ミキサー
３  ２系統音声信号
【図１】
2018129865.tif 000003
(57)【要約】      （修正有）【課題】ある事柄について文章を書く時、どういう文章を書けばいいかアイデアが出て来ない時に、文書データを用いてユーザが入力した単語から文章を作成するシステムを提供する。【解決手段】システムは、新聞記事や小説などの文書データを用意し、ユーザが入力したキーワードに関連した文章を指定された分量だけ抽出し、抽出された文章の順番を自然な流れになるように変えることにより、ユーザに文章のアイデアを提供し、文章を書く時のアイデアの手助けを可能とする。【選択図】図１
2018129016.tif 000002
【特許請求の範囲】
【請求項１】
はじめに小説や新聞記事など文書データを用意し、次にどのような題材にするかキーワード２語を入力部に入力する（例えばｆｉｒｅ  ｗｏｍａｎ，ｍｏｎｅｙ  ｂｏｏｋなど）ユーザが入力部にキーワードを単語Ａ単語Ｂにしたとする。
文書データから全文を抽出し、単語Ａのワードベクトルを作る、同様に単語Ｂのワードベクトルを作る。文書データの全文について各文のワードベクトルをつくる。この時、文のワードベクトルは文を構成する各単語のワードベクトルの足し算で文のワードベクトルを作る。
そして、各文について次のようなｓｃｏｒｅをつける。
ｓｃｏｒｅＡ＝単語Ａのワードベクトルと文のワードベクトルのコサイン類似度
ｓｃｏｒｅＢ＝単語Ｂのワードベクトルと文のワードベクトルのコサイン類似度
ｓｃｏｒｅ＝ｓｃｏｒｅＡ×ｓｃｏｒｅＢ
各文についてｓｃｏｒｅをつけたら、ｓｃｏｒｅの高い順に並び替える。スコアの高い順Ｎ個（例えばスコアの高い１０個）を取り出せばＮ文からなる文章が出来上がる。このように文章を自動作成するシステム。
【請求項２】
請求項１によって出来上がったＮ個からなる文章について、
・一番スコアの高い文を一番はじめの文に固定する
・２番目の文はＮ個の中からまだ固定されていない文で１番目の文と一番コサイン類似度が高い文を選びそれを２番目に固定する
・３番目の文はＮ個の中からまだ固定されていない文で２番目の文と一番コサイン類似度が高い文を選びそれを３番目に固定する
・Ｍ番目の文はＮ個の中から固定されていない文でＭ−１番目の文と一番コサイン類似度が高い文を選びそれをＭ番目に固定する
これを繰り返し、Ｎ個の文章全て順番が固定されたら、固定された順番で出力部に文章を表示する。このように文章を自動作成するシステム
【発明の詳細な説明】
【技術分野】
【０００１】本発明は、情報処理装置、情報処理方法、及び、システムに関し、特に文章の自動作成に関する情報装置、情報処理方法、およびシステム
【背景技術】
【０００２】先行技術として、以下の発明がある（特許文献１）。
任意の文章を作成する文章作成方法にあって、予め格納されている文字群の中からランダムに複数の文字を選択して文字列を作成し、この文字列の中で日本語として発音可能な文字の並びを持った文字列を選択し、選択された文字列に仮名漢字変換を行って形態素に分解し、前記仮名漢字変換後の文章が別途定めた文法規則を満足するかどうかを前記形態素レベルで判断し、この判断の結果、前記文法規則を満足した文章が得られると、この文章を構成している形態素群を文節にまとめてその相互の係り受け関係を明らかにする構文解析を行い、この構文解析結果が前記文節間の係り受けの適切さを示す途別定めた用法規則を満足するかどうかを判断し、この判断の結果、前記用法規則を満足する文章が得られると、この文章を作成文章として出力することを特徴とする文章作成方法。
【特許文献１】特開平８−８３２７２
【発明が解決しようとする課題】
【０００５】あることをテーマにして文章を書こうとしてもどのような文章を書くかアイデアが出て来ない時がある。そのような際に、本発明を用いることで文章が自動的に作成され文章のアイデアの手助けとすることができる。
【課題を解決するための手段】
【０００６】新聞記事や小説などの文書データを用意し、ユーザが入力したキーワード２つと関連のある文章を指定された分量だけ抽出し、抽出された文章の順番を自然な流れになるように変える。これらの文章からユーザは文章のアイデアを得ることができる。
【発明の効果】
【０００７】本発明によってユーザが入力したキーワードに関連した文章が出力されるので、ユーザは文章のアイデアを得ることができる。
【図面の簡単な説明】
【０００８】
【図１】本発明の全体像を記した図である。
【符号の説明】
【０００９】１  入力部
２  システム１
３  文書データ
４  出力部
【産業上の利用可能性】
【００１０】どのような文章を書いたらいいか分からないライターが本発明を用いて文章のアイデアを得ることができる
【図１】
2018129016.tif 000003
(57)【要約】      （修正有）【課題】本発明は、秋冬に日傘を使用したいときに、秋服や冬服に合わせてコーディネートしやすいように、日傘の生地の端や手元（ハンドル）にファーをつけた秋冬用の日傘を提供する。【解決手段】傘の生地１の端にファー２を設け、手元にもファー２を設けたことにより、秋や冬にも日傘のおしゃれを楽しむことができることを特徴とする。【選択図】図１
2018187318.tif 000002
【特許請求の範囲】
【請求項１】
傘の生地（１）の端にファー（２）を設け、手元（３）にもファー（２）を設けたことを特徴とする秋冬用の日傘。
【発明の詳細な説明】
【技術分野】
【０００１】  本発明は、秋冬に日傘を使用したいときに、秋や冬の服に合わせてコーディネートしやすいように、日傘の生地の端や手元（ハンドル）にファーをつけた秋冬用の日傘に関するものである。
【背景技術】
【０００２】  従来、日傘は夏用の商品であり、涼しげに見せることを目的とする商品はあった。（特許文献１参照）
また、紫外線遮蔽機能を付与したものがあった。（特許文献２参照）
雨傘兼用を目的としたものもあった。（特許文献３参照）
ファッションの向上やデザインの豊富さを目的とした、傘地がニットのものもあった。（特許文献４参照）
【先行技術文献】
【特許文献】
【０００３】
【特許文献１】特開２００３−５２４３０号公報
【特許文献２】特開２００３−１８０４２５号公報
【特許文献３】特開２００４−３５０８５０号公報
【特許文献４】特開２００１−３４６６１８号公報
【発明の概要】
【発明が解決しようとする課題】
【０００４】  これは、次のような欠点があった。
（イ）従来、秋冬に日傘を使いたくても、日傘は夏に使用するものであるというイメージが強く、秋冬に使用するという感覚がなかったため、秋や冬、特に冬には使いづらい面があった。
（ロ）冬に日傘を使うと、冬服の重厚な印象とのバランスが悪かった。
本発明は、以上のような欠点をなくすためになされたものである。
【課題を解決するための手段】
【０００５】  傘の生地（１）の端にファー（２）を設け、手元（３）にもファー（２）を設ける。
本発明は、以上の構成による秋冬用の日傘である。
【発明の効果】
【０００６】（イ）秋冬をイメージさせるファーがついているため、秋や冬にも違和感なく日傘を使用することができる。
（ロ）重たい印象の冬服とも、バランスよくコーディネートをすることができる。
（ハ）見た目も美しく、日差しを遮りながら、おしゃれの幅を広げることができる。
【図面の簡単な説明】
【０００７】
【図１】  本発明の平面図である。
【図２】  本発明の側面図である。
【発明を実施するための形態】
【０００８】  以下、本発明の実施の形態について説明する。
傘の生地（１）の端全体にファー（２）をつける。
手元（３）にもファー（２）をつける。
本発明は、以上のような構造である。
本発明を使用するときは、秋冬の日差しを遮りたいときに、傘を開き、手元を握って傘を差す。
秋や冬にも、紫外線対策ができる。
秋や冬にも日傘のおしゃれを楽しむことができる。
【符号の説明】
【０００９】    １  傘の生地
２  ファー
３  手元（ハンドル）
【図１】
2018187318.tif 000003
【図２】
2018187318.tif 000004
(57)【要約】      （修正有）【課題】特に、使い終わったトイレットペーパーから出た芯を収納することにより、床に、芯が散乱しているという状況をなくすことができる、トイレットペーパーの芯入れを提供する。【解決手段】本体１に、使い終わったトイレットペーパーから出た芯を収納することができる芯２を設ける。【選択図】図１
2018187325.tif 000002
【特許請求の範囲】
【請求項１】
トイレットペーパーの芯入れであって、トイレットペーパーの芯を指示可能な支えの内部に挿入した際、芯の端を支持可能な支え、および該当する支持可能な支えの内部に挿入した際、芯の端を支持可能な形状の支え（２）から、延出した形状の物、および該当する支持可能な形状の物が形成されたことを特徴とするトイレットペーパーの芯入れ。
【発明の詳細な説明】
【技術分野】
【０００１】  この発明は、特にトイレットペーパーの芯を収納するものである。
【背景技術】
【０００２】  従来、トイレには使い終わった後のトイレットペーパーの芯を収納する、この形状の専用の入れ物はなかった。
【発明の概要】
【発明が解決しようとする課題】
【０００３】  これは、次のような欠点があった。
従来、使い終わったトイレットペーパーから出た芯を収納する場所がないために、床に使い終わった芯が散乱している状況にあった。
本発明は、以下のような欠点をなくすためになされたものである。
【課題を解決するための手段】
【０００４】（１）本体に
（２）芯を支えておくことのできる構造を設ける。
それを、設置して使用する。
本発明は、以上の構成よりなるものである。
【発明の効果】
【０００５】  使い終わったトイレットペーパーから出た芯を収納することにより、床に無数の芯が散乱しているという状況をなくすことができトイレが綺麗になる。
これを、見えやすい場所に置くことで、もしそこに芯が入っていれば、トイレットペーパーがなくなっていることを瞬時に確認、認識でき、早めに紙の補充や交換などの対処ができる。
後で紙がなかったという状況を未然に防ぐことができる。
【図面の簡単な説明】
【０００６】
【図１】  本発明の斜視図である。
【図２】  本発明の側面図である。
【発明を実施するための形態】
【０００７】  以下本発明を実施するための最良形態について説明する。
（１）本体の中に
（２）芯を支えておくことのできる構造を設ける。
入れた芯を固定しておくことのできる構造。  芯の端、または両端部分を固定しておくことのできる構造。  それを、好きな角度に設置して使用する。  本発明は、以上の構造である。
これを、使用する時は、使い終わったトイレットペーパーから出た芯を本体の中に入れ収納すれば良い。
【実施例】
【０００８】  世界中の全てのトイレに設置できる。
【産業上の利用可能性】
【０００９】  世界中の全てのトイレに設置できる。
全体や芯を支えておく物の形状を、色んな形の物にして売り出すことができる。
火災、異物混入の元になる原因にほぼならない構造ため、安全性にも優れ、公共、施設、店舗、家庭などのあらゆる場所で設置可能である。
この発明を、我が国、日本から発信し、世界中のトイレの数だけ設置できることとなれば、産業上利用可能、莫大な国益、経済の活性化に繋がることができる。
【符号の説明】
【００１０】（１）  本体
（２）  支える物
【図１】
2018187325.tif 000003
【図２】
2018187325.tif 000004
(57)【要約】【課題】  従来の便座は、尻部分が圧迫され血行不良を起こしていた。【解決手段】  便座（２）内部に、電動の振動子（１）の設置で尻部分の血行不良が改善できる、排便時には、摩擦力が下がり排出するのが楽になる。【選択図】図１
2018187322.tif 000002
【特許請求の範囲】
【請求項１】
便座（２）内部に、振動子（１）を設置したマッサ−ジ付便座。
【発明の詳細な説明】
【技術分野】
【０００１】  本発明は，便座の内部に、振動回路を設けて、排便の促進とマッサ−ジ効果のあるマッサ−ジ付便座に関するものである。
【背景技術】
【０００２】  従来の，便座は尻部分が圧迫され血行不良を起こしていた。
【発明の概要】
【発明が解決しようとする課題】
【０００３】  従来の便座装置では、尻部分が圧迫されて血行不良と排便しにくい状態であった、そこで、本発明は、血行不良と排便の改善することを課題とする。
【課題を解決するための手段】
【０００４】  従来の便座内部に、電動の振動子（１）を便座両側に設置する。
【発明の効果】
【０００５】  尻部分に、振動を与えることにより血液循環も良くなり、排便時は、摩擦力が下がり排出するのが楽になる。
【図面の簡単な説明】
【０００６】
【図１】  本発明品配置の平面図である。
【図２】  本発明品配置側面図である。
【図３】  便座の背面図である。
【発明を実施するための形態】
【０００７】  以下、本発明を実施する形態を図１に基ずいて説明する。
図１においては、便座（２）の内部に複数個振動子（１）を配置する。電源スイッチ付可変器（３）の構成となる。
これを使用するときは、電源スイッチ（３）にて振動子（１）を駆動させる。振動子（１）の強弱は可変器（３）で行う。
【符号の説明】
【０００８】  １  振動子
２  便座
３  スイッチ付可変器
４  防震ゴム
【図１】
2018187322.tif 000003
【図２】
2018187322.tif 000004
【図３】
2018187322.tif 000005
(57)【要約】【課題】本発明は使用者に美顔効果を促進させ、使用者の美容を支援する事と使用者に合わせた適切な対応ができる装置を提供する事を目的とする。【解決手段】マスクに電気刺激や超音波等の任意の刺激を発生できる機能を持たせる。使用者は用途に合わせて選択して使用する。マスクを使用する事で顔全体や任意の箇所を使用者の手を煩わせない美容機を具現化したもの。【選択図】図１
2018187323.tif 000002
【特許請求の範囲】
【請求項１】
使用者の顔に装着するマスク部と、刺激信号を発する端子を有する端子部と、端子部の制御を行う制御部と、電源の入り切りを制御するスイッチ部を有する事を特徴とする美容機器。
【請求項２】
請求項１の端子部は制御部からの制御信号により、端子部の刺激信号の強さを制御する事を特徴とする美容機器。
【請求項３】
請求項１の端子部は制御部からの制御信号により、単体または複数の端子部に対して独立した動作制御をする事を特徴とする美容機器。
【請求項４】
請求項１の制御部と端子部は有線、又は無線で接続でき、制御部からの信号により、動作制御をする事を特徴とする美容機器。
【請求項５】
請求項１のマスク部と端子部は着脱でき、使用者は任意で取外しができる機能を特徴とする美容機器。
【請求項６】
請求項１の刺激信号は電気刺激、振動刺激、超音波刺激、ＬＥＤにより光刺激、熱刺激、物理刺激であり、それらの内の１つまたは複数の組合せを独立して、または連動する事を特徴とする美容機器。
【発明の詳細な説明】
【技術分野】
【０００１】本発明は美容用に用いられる刺激を出力する美容装置に関する。
【背景技術】
【０００２】電気刺激を用いて人体の筋肉の凝りをほぐしたり、筋肉の痛みやマヒを緩和するものである。美容用としては、弛んだ筋肉を運動させハリを取り戻し、筋肉が活発になった肌は血流が良くなり肌そのものの健康を促進させる。顔も同様に筋肉が張り、頬や額の重みに流されてできたシワを筋肉運動により改善させる。
【先行技術文献】
【特許文献】
【０００３】
【特許文献１】特開２００９−９５４１６
【特許文献２】実願２０１５−２９９１
【特許文献３】特開２０１５−１３６５７１
【発明の概要】
【発明が解決しようとする課題】
【０００４】従来、電気刺激を用いて行うタイプの美容機器はあるが、顔面に特化した美容機器は少ない。しかし顔は他の部位よりも敏感であり、部位によっては痛みが発生したり低温やけどになる症状もある。これは肌に機器がきちんと密着しない事、やり過ぎによる乾燥やひび割れも原因である。
また顔面に特化した美容機器は存在するが、電気刺激に関しては只単純に電気刺激を行っているだけで部位による刺激の変化や調整は行われていない。
【課題を解決するための手段】
【０００５】請求項１の発明は、本体となり顔に装着するマスク部と、刺激を発する端子部と、端子の動作を制御する制御部と電源のオンとオフを制御するスイッチ部を有する事を特徴とする【０００６】請求項２の発明は、端子部は制御部からの信号により刺激信号の強さを変動する。刺激信号の強さを制御する事で、使用者に合わせた最適な刺激信号に調整できる事を特徴とする。【０００７】請求項３の発明は、端子部は制御部から複数の端子に対して個々に信号を送り制御を行う事を特徴とする。個々に端子部を制御する事により刺激を与える部位に対して適応する刺激を与える事が出来る事により、人の手でマッサージしたような刺激といった全体として複雑な刺激を与える事が出来る事を特徴とする。【０００８】請求項４の発明は、端子部は制御部は有線又は無線で接続されており、無線の場合は端子部と制御部に搭載された無線の送受信装置を介して通信ができる事を特徴とする。【０００９】請求項５の発明は、マスク部と端子部は着脱可能である事を特徴とする。
着脱可能にする事により、マスク部のみ防水加工を施す事が出来、毎回肌に触れるマスク部を洗浄する事が可能となる。【００１０】請求項６の発明は、端子部からの電気刺激、振動刺激、超音波刺激、光刺激、熱刺激、物理刺激は用途に合わせて刺激を選択し、又は組み合わせて出力できる事を特徴とする。
【発明の効果】
【００１１】本発明によれば、機器から発する刺激を用いて、利用者に合わせた最適な美容効果をもたらす際に有効な美容機器とすることができる。
【図面の簡単な説明】
【００１２】
【図１】本発明を実施するための形態である。
【図２】端子部の構成図である。
【発明を実施するための形態】
【００２１】以下、本発明の実施の形態を説明する。
【実施例】
【００２２】マスク部１は伸縮性のマスクを使用し、人の顔に装着できる形状で形成される。顔に装着した状態でマスクが顔に密着される。マスク部１には端子部２を装着するための機能が取り付けられている。【００２３】制御部３には動作を制御する基板１１と電源の入り切りを制御するスイッチ部１２と出力１０を調整する調整機能を有する調整部１３と、無線通信の場合は無線を送受信する無線部１４が内蔵されており、端子部２と有線または無線で接続されている。【００２４】端子部２は各刺激の発生装置と、マスク部１との装着を行う装着部１５と、制御部３との接続を行う有線と、制御部と無線で接続をする為の無線部１４が内蔵されている。【００２５】マスク部１と端子部２を装着し、マスク部１を使用者の顔に装着する。マスク部１はスイッチ部１２により電源を入れる。制御部３から刺激信号が発生し、端子部２から使用者の顔に各刺激を発生させる。制御部３に内蔵された調整部１３により端子部２の出力とどの刺激を発生させるか調整する。使用後はスイッチ部１２により電源を切り、使用者の顔から外す。【００２６】マスク部１と端子部２は取外しが可能であり、マスク部１と洗浄することができる。
【産業上の利用可能性】
【００２７】本発明は美顔を保つための美容分野で利用される
【符号の説明】
【００２８】１    マスク部
２    端子部
３    制御部
４    電気刺激発生装置
５    振動刺激発生装置
６    超音波刺激発生装置
７    光刺激発生装置
８    熱刺激発生装置
１０  出力
１１  基板
１２  スイッチ部
１３  調整部
１４  無線部
１５  装着部
【図１】
2018187323.tif 000003
【図２】
2018187323.tif 000004